(57)【要約】【課題】複雑な構成をとることなく、自分撮りを行なう場合に撮影レンズを正確に被写体である自分自身に対向させる。【解決手段】撮影レンズ12と、この撮影レンズ12に隣接配置し、該撮影レンズ12の光軸に合わせた撮影中心点位置を視認可能なプリズム20とを備える。【選択図】      図１
2006084807.tif 000002
【特許請求の範囲】
【請求項１】
撮影レンズと、
この撮影レンズに隣接配置し、該撮影レンズの光軸に合わせた撮影中心点位置を視認可能な光学部材と
を具備したことを特徴とする撮像装置。
【請求項２】
上記光学部材は、表裏の相対向する位置に同一形状の切欠きを形成した平板状プリズムでなることを特徴とする請求項１記載の撮像装置。
【請求項３】
表面側の切欠きと裏面側の切欠きが重なり合って見えることで撮影中心位置を視認できることを特徴とする請求項２記載の撮像装置。
【請求項４】
上記光学部材は、表面に位置合わせマークを形成した平板ミラーでなることを特徴とする請求項１記載の撮像装置。
【請求項５】
上記光学部材は、発光部材とこの発光部材からの光を正面以外に拡散して出射させる導光部材とでなることを特徴とする請求項１記載の撮像装置。
【請求項６】
上記導光部材は、上記発光部材からの光を遮断する遮断部材を備え、
上記遮断部材により光が遮断されて見えないことで撮影中心位置を視認できることを特徴とする請求項５記載の撮像装置。
【発明の詳細な説明】
【技術分野】
【０００１】
本発明は、撮影者自身を被写体とする、所謂自分撮りに好適なデジタルカメラやカメラ機能付き携帯電話機等の撮像装置に関する。
【背景技術】
【０００２】
近時、銀塩フィルムを用いたカメラに代わって、撮影により得た画像を電子データとして保存し、種々活用することが可能なデジタルカメラが広く一般に普及している。
【０００３】
この種のデジタルカメラでは、撮像部が機器本体に対して回動可能な一部の機種を除き、ほとんどの機種が機種の前面に撮像レンズを配置する一方で、機器本体の背面側に液晶表示パネルを配置し、撮影内容をモニタ表示させることが可能となっている。
【０００４】
このようなデジタルカメラで、撮影者自身を被写体とする、所謂自分撮りを行なおうとする場合、撮影者Ｐはそのカメラの最短撮影距離を考慮した上で図６に示すようにカメラＤＣのレンズ側Ｌを自分自身Ｐに向けて保持し、シャッタボタンを押圧操作することで撮影を実行することになる。
【０００５】
図中に一点鎖線で示すＯＡは撮影レンズの光軸であり、この撮影レンズ光軸ＯＡが撮影される画像の中心位置となる。このとき撮影者Ｐは、カメラＤＣの背面側にある液晶表示パネルでなるモニタ部Ｍを視認することができないので、おおよその撮影方向をレンズの向きから判断し、勘を頼りに撮影を行なうしかなく、正確な構図を得ることができない。
【０００６】
図７は、上記図６のようにして撮影者Ｐが自分撮りを行なった場合に得られる画像を例示するものであり、撮影者Ｐが画像の中心点ＣＰ位置から外れている状態を示す。このような場合、撮影者Ｐの意図する構図が得られないばかりか、例えばこのカメラＤＣが画像中心点位置で自動合焦を行なう機種である場合には、合焦のずれた、所謂ピンボケの画像が得られることになり、撮影者Ｐは撮影後にカメラＤＣのモニタ部Ｍでそれを確認した後、再度撮影をやり直さなくてはならない。
【０００７】
また、従来、撮影レンズを包囲するフードの内側にミラー部を設け、撮影者自身を被写体とする所謂自分撮りのためにミラーで被写体を充分に確認できるようにしたレンズ付きフィルムユニットが考えられている。（例えば、特許文献１）
【特許文献１】特開２００１−１４２１２５号公報
【発明の開示】
【発明が解決しようとする課題】
【０００８】
しかしながら、上記特許文献１に記載された技術は、撮影者の手が写り込むのを防止するために設けたレンズフード内側の撮影レンズを除いた前面部にミラー部を形成するようにしたものである。
【０００９】
したがって、撮影レンズにはミラー部が形成されておらず、且つミラー部自体は正面ではなく斜めの角度から見たとしてもなんらかの写り込んだものは見えるため、結果として自分撮りを行なう場合でも撮影レンズが正確にどの部分を向いているかを知ることはできない。
【００１０】
また、カメラ機能付きの携帯電話機で、カメラ部と同一の面に画像表示部を持たない機種では、カメラ部の近傍に自分撮り用の小さな凸面鏡を設けたものもあるが、やはり撮影レンズが正確に部分に向いているのかを知ることはできない。
【００１１】
本発明は上記のような実情に鑑みてなされたもので、その目的とするところは、複雑な構成をとることなく、自分撮りを行なう場合に撮影レンズを正確に被写体である自分自身に対向させることが可能な撮像装置を提供することにある。
【課題を解決するための手段】
【００１２】
請求項１記載の発明は、撮影レンズと、この撮影レンズに隣接配置し、該撮影レンズの光軸に合わせた撮影中心点位置を視認可能な光学部材とを具備したことを特徴とする。
【００１３】
請求項２記載の発明は、上記請求項１記載の発明において、上記光学部材は、表裏の相対向する位置に同一形状の切欠きを形成した平板状プリズムでなることを特徴とする。
【００１４】
請求項３記載の発明は、上記請求項２記載の発明において、表面側の切欠きと裏面側の切欠きが重なり合って見えることで撮影中心位置を視認できることを特徴とする。
【００１５】
請求項４記載の発明は、上記請求項１記載の発明において、上記光学部材は、表面に位置合わせマークを形成した平板ミラーでなることを特徴とする。
【００１６】
請求項５記載の発明は、上記請求項１記載の発明において、上記光学部材は、発光部材とこの発光部材からの光を正面以外に拡散して出射させる導光部材とでなることを特徴とする。
【００１７】
請求項６記載の発明は、上記請求項５記載の発明において、上記導光部材は、上記発光部材からの光を遮断する遮断部材を備え、上記遮断部材により光が遮断されて見えないことで撮影中心位置を視認できることを特徴とする。
【発明の効果】
【００１８】
請求項１記載の発明によれば、撮像部あるいはモニタ表示部を回動機構とするなどの複雑な装置構成を採ることなしに、自分撮りを行なう場合に撮影レンズを正確に被写体である自分自身に対向させることが可能となる。
【００１９】
請求項２記載の発明によれば、上記請求項１記載の発明の効果に加えて、簡易な構成ながら撮影レンズを正確に被写体である自分自身に対向させることが可能となる。
【００２０】
請求項３記載の発明によれば、上記請求項３記載の発明の効果に加えて、きわめて容易に撮影中心位置を視認できる。
【００２１】
請求項４記載の発明によれば、上記請求項１記載の発明の効果に加えて、きわめて簡易な構成ながら撮影レンズを正確に被写体である自分自身に対向させることが可能となる。
【００２２】
請求項５記載の発明によれば、上記請求項１記載の発明の効果に加えて、多少構成は複雑になるものの、例えばＬＥＤ（発光ダイオード）等の自発光素子を用いることで、充分な明るさが得られない暗い場所でも容易に撮影画像の中心位置が視認できる。
【００２３】
請求項６記載の発明によれば、上記請求項５記載の発明の効果に加えて、導光部材をより簡易な構成としながら、正確な撮影中心位置の視認が容易となる。
【発明を実施するための最良の形態】
【００２４】
（第１の実施の形態）  
以下本発明をコンパクトタイプのデジタルカメラに適用した場合の第１の実施の形態について図面を参照して説明する。
【００２５】
図１は、主に前面と上面の外観構成を示す斜視図である。
【００２６】
このデジタルカメラ１０は、略矩形の薄板状ボディ１１の前面に、撮影レンズ１２、セルフタイマランプ１３、光学ファインダ窓１４、ストロボ発光部１５、及びマイクロホン部１６を配設し、上面の（ユーザにとって）右端側には電源キー１７及びシャッタキー１８を配する。なお、デジタルカメラ１０の撮影や再生時の動作自体は周知の技術であるものとして、その説明は省略する。
【００２７】
撮影レンズ１２は、ボディ１１の前面より突出した金属製の平板リング状のレンズガード１９内に埋設構成されるものとし、該レンズガード１９の外縁上端側に一部切欠きが形成されて、当該切欠き部に、自分撮り用のガイド光学部材であるプリズム２０が埋設される。
【００２８】
図２は、このプリズム２０を取り出して単体で示すもので、矩形平板状の無色透明な光学材、例えば石英ガラス板２０ａの表裏相対向する位置にそれぞれ同一形状、例えば十字状の切欠き２０ｂ，２０ｃを形成してなるものとする。
【００２９】
この場合、石英ガラス板２０ａの表裏各面は正確に平行であり、且つ各面に設けられた切欠き２０ｂ，２０ｃはその形状、大きさ、相対向する位置が正確に一致するものとし、このプリズム２０を埋設したデジタルカメラ１０の撮影レンズ１２の光軸と、上記十字状の切欠き２０ｂ，２０ｃの各交点を結んでできる軸線とが正確に平行になるように設定されているものとする。
【００３０】
このような構成とすることにより、このデジタルカメラ１０で自分撮りを行なう場合に撮影者は、プリズム２０の切欠き２０ｂ，２０ｃの各交点が一致するように見ることで、正確にデジタルカメラ１０の撮影レンズ１２の光軸を自身の顔、正確には目に合わせることができる。
【００３１】
図３は、撮影者の目Ｅとプリズム２０との位置関係を示すものである。図３（Ａ）−１に示す状態では、プリズム２０の切欠き２０ｂ，２０ｃの各交点を結んだ軸線ＧＡと目Ｅとが一致していない。そのため、この目Ｅから見たプリズム２０は図３（Ａ）−２に示すように、表面側の切欠き２０ｂと裏面側の切欠き２０ｃとが重ならず、二重の線となって見えることになる。
【００３２】
一方、図３（Ｂ）−１に示す状態では、プリズム２０の切欠き２０ｂ，２０ｃの各交点を結んだ軸線ＧＡと目Ｅとが正確に一致している。そのため、この目Ｅから見たプリズム２０は図３（Ｂ）−２に示すように、表面側の切欠き２０ｂと裏面側の切欠き２０ｃとが重なって１本の線となって見えることになる。
【００３３】
プリズム２０が上記図３（Ａ）−２の状態に見えた際に撮影者は、切欠き２０ｂ，２０ｃの水平方向の線が二重に見えた場合にはデジタルカメラ１０を上下方向に、同垂直方向の線が二重に見えた場合にはデジタルカメラ１０を左右方向に微調整すればよい。
【００３４】
しかして、上記図３（Ｂ）−２に示す状態で見えるようになった時点でデジタルカメラ１０のシャッタキー１８を押圧操作することで、撮影レンズ１２の光軸も正確に撮影者の顔の位置に合っていることになるので、撮影者は自分自身がフレームの中心となった画像を撮影することができる。
【００３５】
なお、上記第１の実施の形態では、表裏に同一形状、例えば十字状の切欠き２０ｂ，２０ｃを設けたプリズム２０を設けるものとして説明したが、自分撮りの位置補正を行なう光学部材として、他により簡単な構成のものも考えられる。
【００３６】
例えば、表面に十字状の位置合わせマークを形成した平板状ミラーを用いることにより、表面に形成された位置合わせマークとその鏡像とが正確に一致して見えるようにデジタルカメラ１０と撮影者自身の目の位置とを相対的に調整するものとすれば、同様の効果を奏することができる。
【００３７】
また、光学部材に形成する位置合わせマークの形状は、上述したような十字形状に限るものではなく、２つの平行な二次元平面の点位置を一致させることができればよいので、最も簡単には１つの「・（ドット）」でもよいし、あるいは同心円のようなものでもよい。
【００３８】
（第２の実施の形態）  
以下本発明をコンパクトタイプのデジタルカメラに適用した場合の第２の実施の形態について図面を参照して説明する。
【００３９】
なお、その外観構成についてはほぼ上記図１に示したものと同様であるものとし、同一部分には同一符号を用いてその図示と説明は省略するものとする。また、デジタルカメラ１０の撮影や再生時の動作自体は周知の技術であるものとして、その説明は省略する。
【００４０】
図４は、デジタルカメラ１０のレンズガード１９上端に形成した切欠き部に、上記図１のプリズム２０に代えて埋設形成されたガイド部３０を示すものである。このガイド部３０は外観状、正面からは黒い円形として視認される。
【００４１】
図５（Ａ）は、このガイド部３０の内部構造を示すもので、ガイド部３０は、例えば白色の可視光を発するＬＥＤ３１と、先端を黒い円形板（遮光板）３２ａで遮光した円筒状の導光部３２とが撮影レンズ１２の光軸と平行な軸線ＧＡに沿って構成されることでなる。
【００４２】
図示する如く導光部３２先端の遮光板３２ａとこの遮光板３２ａに隣接する周面の先端に近いごく一部は、ボディ１１前面の外装１１ａより突出して形成される。
【００４３】
このような構成にあって、撮影者が自分撮りを行なうべくこのデジタルカメラ１０で撮影モードを設定した場合、あるいはデジタルカメラ１０の基本モードである撮影モード中に特に「自分撮りモード」が存在してそれを選択設定した場合、図５（Ｂ）に示すようにＬＥＤ３１を発光駆動させる。
【００４４】
このＬＥＤ３１からの発光Ｒは、導光部３２の内周壁で適宜反射されながら先端側まで導かれ、ボディ外装１１ａより突出した先端近傍より、図示する如く外部の正面の方向以外に放射される。
【００４５】
ここで、導光部３２の先端には上述した如く遮光板３２ａが形成されているため、撮影者は軸線ＧＡに沿ったガイド部３０の正面から見たとしてもその発光Ｒを見ることができない。
【００４６】
したがって、撮影者はこのデジタルカメラ１０の正面からガイド部３０を見て、軸線ＧＡに沿ったガイド部３０の正確な正面位置となって光Ｒが消える位置でシャッタキー１８を押圧操作することで、撮影レンズ１２の光軸も正確に撮影者の顔の位置に合っていることになるので、自分自身がフレームの中心となった画像を撮影することができる。
【００４７】
このように、上記第１の実施の形態に比して、多少構成は複雑になるものの、例えばＬＥＤ（発光ダイオード）等の自発光素子を用いることで、撮影環境が充分な明るさが得られないような暗い場所でも、容易に撮影画像の中心位置が視認できる。
【００４８】
加えて、上記ガイド部３０の導光部３２は、遮光板３２ａを設けることで正面以外に光Ｒが放射される構成とした。これにより、撮影する画像中の特に目などにＬＥＤ３１での光が写り込むことがなく、撮影した画像が不自然なものとなってしまうのを回避することができる。
【００４９】
なお、上記第１及び第２の実施の形態は、デジタルカメラに適用した場合について説明したものであるが、本発明はこれに限らず、銀塩フィルムを用いたカメラやビデオムービーカメラ、カメラ機能付きの携帯電話機等にも同様に適用可能である。
【００５０】
その他、本発明は上記各実施の形態に限らず、その要旨を逸脱しない範囲内で種々変形して実施することが可能であるものとする。
【００５１】
さらに、上記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【図面の簡単な説明】
【００５２】
【図１】本発明の第１の実施の形態に係るデジタルカメラの外観構成を示す斜視図。
【図２】同実施の形態に係る光学部材としてのプリズムの構成を示す斜視図。
【図３】同実施の形態に係るプリズムと撮影者の目との位置関係に対応したプリズムの見え方を例示する図。
【図４】本発明の第２の実施の形態に係るデジタルカメラの特に（自分撮り用）ガイド部の外観を示す平面図。
【図５】同実施の形態に係るガイド部の構成と動作について示す図。
【図６】一般的なデジタルカメラでの自分撮りの様子を示す図。
【図７】図６の方法で得られた自分撮りの画像を例示する図。
【符号の説明】
【００５３】
１０…デジタルカメラ、１１…ボディ、１１ａ…ボディ外装、１２…撮影レンズ、１３…セルフタイマランプ、１４…光学ファインダ窓、１５…ストロボ発光部、１６…マイクロホン部、１７…電源キー、１８…シャッタキー、１９…レンズガード、２０…プリズム、２０ａ…石英ガラス板、２０ｂ，２０ｃ…（十字状）切欠き、３０…ガイド部、３１…ＬＥＤ、３２…導光部、３２ａ…遮光板、Ｅ…目、ＧＡ…軸線。
【図１】
2006084807.tif 000003
【図２】
2006084807.tif 000004
【図３】
2006084807.tif 000005
【図４】
2006084807.tif 000006
【図５】
2006084807.tif 000007
【図６】
2006084807.tif 000008
【図７】
2006084807.tif 000009